【手続補正書】
【提出日】平成16年11月10日(2004.11.10)
【手続補正１】
【補正対象書類名】特許請求の範囲
【補正対象項目名】全文
【補正方法】変更
【補正の内容】
【特許請求の範囲】
【請求項１】
個人の耳道（２０）の中に挿入された耳道内装置（１０）によって提供される聴覚シールを現場で決定するための装置（１００）であって、
前記耳道内装置（１０）は、前記耳道（２０）の外側及び内側に環境孔（１３）及び耳孔（１４）を各々備えた音孔（１２）を有し、
前記装置（１００）は、前記耳道内装置（１０）の前記音孔（１２）の前記環境孔（１３）に着脱可能に嵌合されるのに適した音響測定装置（４１）を有し、且つ制御ボックス（５２）及び参照音源（５１）を備えたデータ処理ユニット（５０）に接続されていて、互いから隔離されているプローブ・マイクロフォン（４２）及び参照マイクロフォン（４４）を含み、前記制御ボックス及び参照音源（５２，５１）は共にコンピュータ・ユニット（５４）に接続されており、
前記プローブ・マイクロフォン（４２）及び参照マイクロフォン（４４）によって、前記個人の前記耳道（２０）の内側の音圧レベル（P3'）及び前記耳道内装置（１０）に近接した前記環境からの音圧レベル（P2'）が各々測定され、前記音圧レベル（P3'、P2'）は、前記耳道内装置（１０）に近接する個人の耳への入口において前記参照音源（５１）によって生成された既知の雑音信号に対応し、
前記データ処理ユニット（５０）は、前記コンピュータ・ユニット（５４）に提供するべく前記プローブ・マイクロフォン（４２）及び参照マイクロフォン（４４）の両方により読出された前記音圧レベル（P3'、P2'）を記録及び処理し、前記コンピュータ・ユニット（５４）は、前記耳道内装置（１０）によって導出された音響レベル差異の対応する計算値を提供することを特徴とする装置。
【請求項２】
前記耳道内装置（１０ｂ）は、拡張可能であり、且つ前記耳道内装置（１０ｂ）が適切に前記個人の前記耳道（２０）の形状になり得るように、固化可能な化合物材料（C）をその中に受取るための、前記耳道（２０）の外側の開端部（１７）及び前記耳道内装置（１０ｂ）の内側の閉端部（１８）を備えた注入チャネル（１６）を更に有し、
前記装置（１００）は、前記注入チャネル（１６）を介して、前記拡張可能な耳道内装置（１０ｂ）の中に前記化合物材料（C）を緩徐に注入する際に、前記音響レベル差異の前記計算値を連続的にモニタし、
所定の音圧レベル差異と概ね等しくなるか若しくは概ね時間不変な音響レベル差異状態になるかのいずれかが最初に生じたのに対応して、前記耳道内装置（１０ｂ）の音圧レベル差異の計算値が得られたのに応じて、前記データ処理ユニット（５０）によって、前記拡張可能な耳道内装置（１０ｂ）の中への前記化合物材料（C）の注入を停止するように通知されることを特徴とする請求項１に記載の装置（１００）。
【請求項３】
前記の所定の音圧レベル差異若しくは前記の時間不変音響レベル差異のいずれかが所定の周波数領域上で決定されることを特徴とする請求項２に記載の装置（１００）。
【請求項４】
前記個人の第2耳道（２０）の中に挿入された第2耳道内装置（１０）の音孔（１２）の環境孔（１３）に着脱可能に嵌合されるのに適した第2測定装置（４１ａ）を有し、
前記第2測定装置（４１ａ）は、前記データ処理ユニット（５０）の前記制御ボックス（５２）に同時に接続され、
前記データ処理ユニット（５０）は、前記コンピュータ・ユニット（５４）に同時に提供するべく、前記第2音響測定装置（４１ａ）の第2プローブ・マイクロフォン（４２ａ）及び第2参照マイクロフォン（４４ａ）によって各々読出される第2圧力レベルの記憶及び処理を行い、
前記コンピュータ・ユニット（５４）は、前記第2耳道内装置（１０）によって導出される第2音響レベル差異の第2の対応する計算値を提供することを特徴とする請求項１に記載の装置（１００）。
【請求項５】
前記コンピュータ・ユニット（５４）は、前記耳道内装置（１０）によって導出された前記音響レベル差異の前記計算値を表示するディスプレイ構成要素（５６）を含んでいることを特徴とする請求項１に記載の装置（１００）。
【請求項６】
前記コンピュータ・ユニット（５４）は、前記耳道内装置（１０）の各々によって導出された前記音響レベル差異の前記計算値を表示するディスプレイ構成要素（５６）を含んでいることを特徴とする請求項４に記載の装置（１００）。
【請求項７】
前記コンピュータ・ユニット（５４）は、前記耳道内装置（１０ｂ）によって導出された前記音響レベル差異の前記計算値を連続的に表示するためのディスプレイ構成要素（５６）を含んでいることを特徴とする請求項３に記載の装置（１００）。
【請求項８】
前記制御ボックス（５２）は、前記音響測定装置（４１）の前記プローブ・マイクロフォン（４２）及び参照マイクロフォン（４４）によって読出された前記音圧レベル（P3'、P2'）をフィルタリングして、且つその後に前記コンピュータ・ユニット（５４）に送信することを特徴とする請求項５に記載の装置（１００）。
【請求項９】
前記制御ボックス（５２）は、前記第1（４１）及び第2（４１ａ）の音響測定装置の両方の前記プローブ・マイクロフォン（４２、
４２ａ）及び参照マイクロフォン（４４、４４ａ）によって読出された前記音圧レベル（P3'、P2'）をフィルタリングして、且つその後に、前記コンピュータ・ユニット（５４）に前記音圧レベル（P3'、P2'）を送信することを特徴とする請求項６に記載の装置（１００）。
【請求項１０】
前記耳道内装置（１０）は、環境孔（６２）及び耳孔（６４）を各々前記耳道（２０）の外側及び内側に備えている第2音孔（６０）を有し、
前記装置（１００）は、前記プローブ・マイクロフォン（４２）及び参照マイクロフォン（４４）による前記音圧レベル（P3'、P2'）の測定の際に、前記第2音孔（６０）の前記環境孔（６２）に着脱可能に嵌合させるのに適した遠隔装置（４０）を含んでいることを特徴とする請求項１に記載の装置（１００）。
【請求項１１】
前記コンピュータ・ユニット（５４）は、所定の補正因子及び伝達係数を含み、
前記装置（１００）は、前記音響レベル際の前記計算値、前記所定の補正因子及び前記伝達係数から前記耳道内装置（１０）によって得られる見積もり挿入損失値（IL）を決定することを特徴とする請求項１に記載の装置（１００）。
【請求項１２】
個人の耳道（２０）の中に挿入され、環境孔（１３）及び耳孔（１４）を各々前記耳道（２０）の外側及び内側に備えている音孔（１２）を有する耳道内装置（１０）によって提供される聴覚シールを現場で決定するための方法であって、
ａ）互いから隔離されているプローブ・マイクロフォン（４２）及び参照マイクロフォン（４４）を含んでいる音響測定装置（４１）と、制御ボックス（５２）及び参照音源（５１）を備えているデータ処理ユニット（５０）とを提供するステップであって、前記制御ボックス及び参照音源（５２，５１）は共にコンピュータ・ユニット（５４）に接続されている、該ステップと、
ｂ）前記音響測定装置（４１）を前記データ処理ユニット（５０）に接続するステップと、
ｃ）前記プローブ・マイクロフォン（４２）及び参照マイクロフォン（４４）を用いて前記参照音源（５１）からの既知の雑音信号を測定することによって、前記音響測定装置（４１）の前記データ処理ユニット（５０）への接続を検査するステップと、
ｄ）前記音響測定装置（４１）を前記音孔（１２）の前記環境孔（１３）の中に嵌合させるステップであって、前記プローブ・マイクロフォン（４２）及び参照マイクロフォン（４４）は、前記個人の前記耳道の内部の音圧レベル（P3'）及び前記耳道内装置（１０）に近接した前記環境から音圧レベル（P2'）を各々測定するのに適している、ステップと、
ｅ）前記参照音源（５１）から既知の雑音信号を送信するステップと、
ｆ）前記既知の雑音信号と対応している、前記プローブ・マイクロフォン（４２）及び参照マイクロフォン（４４）の両方によって読出された音圧レベル（P3'、P2'）を記録するステップと、
ｇ）前記コンピュータ・ユニット（５４）に提供するべく、前記測定音圧レベル（P3'、P2'）を処理するステップと、
ｈ）前記耳道内装置（１０）によって導出された音響レベル差異の計算値を得るステップとを有することを特徴とする方法。
【請求項１３】
ステップａ）の後に、
ａ１）前記制御ボックス（５２）の前記コンピュータ・ユニット（５４）への適切な接続を検査するように、前記データ処理ユニット（５０）の較正を実行するステップを有することを特徴とする請求項１２に記載の方法。
【請求項１４】
前記耳道内装置（１０ｂ）が拡張可能であり、更に、そこを通して固化可能な化合物材料（Ｃ）が充填された注入装置（３０）を受取るための前記耳道の外側の開端部（１７）と、前記耳道内装置（１０ｂ）が適切に前記個人の前記耳道（２０）の形状になり得るように、その中に前記固化可能な化合物材料（Ｃ）を受取るための前記耳道内装置（１０ｂ）の内側の閉端部（１８）とを備えた注入チャネル（１６）を有し、
ステップｅ）及びステップｈ）の後に各々、
ｅ１）前記注入チャネル（１６）を介して、前記注入装置（３０）から前記拡張可能な耳道内装置（１０ｂ）の中への前記化合物材料（Ｃ）の緩徐な注入を開始するステップと、
ｈ１）前記化合物材料（Ｃ）の注入を同時に続けながら、前記音響レベルの前記計算値を連続的にモニタするように、ステップｅ）乃至ステップｈ）を繰返すステップと、
ｈ２）所定の音圧レベル差異と概ね等しくなるか若しくは概ね時間不変な音響レベル差異状態になるかのいずれかが最初に生じたのに対応して、前記耳道内装置（１０ｂ）の音圧レベル差異の計算値が得られたのに応じて、前記注入を停止するように通知するステップとを有することを特徴とする請求項１３に記載の方法。
【請求項１５】
前記の所定の音圧レベル差異若しくは前記の時間不変な音響レベル差異のいずれかが、所定の周波数領域上で決定され、
ステップｂ）の後に、
ｂ１）音圧レベル差異の対応する計算値を得るように、前記の所定周波数領域の選択を実行するステップを有することを特徴とする請求項１４に記載の方法。
【請求項１６】
前記コンピュータ・ユニット（５４）が、ディスプレイ構成要素（５６）を含み、
ステップｈ）とステップｈ１）との間に、
ｈ'）前記耳道内装置（１０ｂ）によって導出される前記音響レベル差異の前記計算値を前記ディスプレイ構成要素（５６）上に表示するステップを有することを特徴とする請求項１５に記載の方法。
【請求項１７】
ステップｈ２）の後に、
ｉ）前記音響測定装置（４１）を前記耳道内装置（１０）から取外すステップと、
ｊ）後のステップのいずれかを実行する前に、前記固化可能な化合物材料（Ｃ）が適切に固化するのを待つステップとを有することを特徴とする請求項１６に記載の方法。
【請求項１８】
前記耳道内装置（１０）が、前記耳道（２０）の外側及び内側に各々環境孔（６２）及び耳孔（６４）を備えた第2音孔（６０）を有し、
ステップａ）の後に、
ａ'）所定の周波数窓を有する遠隔装置（４０）を前記第2音孔（６０）の前記環境孔（６２）の中に嵌合させるステップを有することを特徴とする請求項１２に記載の方法。
【請求項１９】
ステップａ）乃至ステップｈ）が、前記個人の第2耳道の中に挿入された第2耳道内装置（１０）に対しても同時に実行され、
前記第2耳道内装置（１０）の音孔（１２）の環境孔（１３）に着脱可能に嵌合させるように対応する第2音響測定装置（４１ａ）が用いられることを特徴とする請求項１２に記載の方法。
【請求項２０】
前記コンピュータ・ユニット（５４）が、所定の補正因子及び伝達係数を含み、
ステップｈ）の後に、
ｈ'）前記音響レベル差異の前記計算値、前記所定の補正因子、及び前記伝達係数から前記耳道内装置（１０）によって導出される挿入損失値（IL）を見積もるステップを有することを特徴とする請求項１２に記載の方法。